(57)【特許請求の範囲】
【請求項１】
電気的要素を収容する箱形の本体と、この本体の裏蓋とを有するリモートコントロール装置において、
前記本体には第一の配線取込口を設けるとともに、前記裏蓋には第二の配線取込口と、前記本体の第一の配線取込口を使用しない場合に、当該第一の配線取込口を閉鎖する閉鎖体とを設け、この閉鎖体に対向する面は切りかかれており、前記第一の配線取込口を使用する場合には、前記切りかかれた面を前記第一の配線取込口に整合させて、前記本体と前記裏蓋とを組み立てることを特徴とするリモートコントロール装置。
【請求項２】
電気的要素を収容する箱形の本体と、この本体の裏蓋とを有するリモートコントロール装置において、
前記本体の上面には第一の配線取込口を設けるとともに、前記裏蓋には第二の配線取込口と、前記本体の第一の配線取込口を使用しない場合に、当該第一の配線取込口を閉鎖する閉鎖体とを設け、この閉鎖体に対向する面は切りかかれており、前記第一の配線取込口を使用する場合には、前記切りかかれた面を前記第一の配線取込口に整合させて、前記本体と前記裏蓋とを組み立てることを特徴とするリモートコントロール装置。
【請求項３】
電気的要素を収容する箱形の本体と、この本体の裏蓋とを有するリモートコントロール装置において、
前記本体には第一の配線取込口を設けるとともに、前記裏蓋には第二の配線取込口と、前記本体の第一の配線取込口を使用しない場合に、当該第一の配線取込口を閉鎖する閉鎖体とを設け、この閉鎖体に対向する面は切りかかれており、前記第一の配線取込口を使用する場合には、前記切りかかれた面を前記第一の配線取込口に整合させて、前記本体と前記裏蓋とを組み立て、且つ前記本体には該本体と前記裏蓋との組立体を壁面内に収容する際に、当該本体と壁面の穴の内壁との間に形成される隙間を隠すための化粧部材を設けたことを特徴とするリモートコントロール装置。
【発明の詳細な説明】
【０００１】
【発明の属する技術分野】
本発明は、空気調和機をリモートコントロール操作する際に用いられるリモートコントロール装置の改良に関する。
【０００２】
【従来の技術】
一般に、電気的要素を収容する箱形の本体と、この本体の裏蓋とを有する空気調和装置用のリモートコントロール装置は知られている。この種のリモートコントロール装置は、例えば壁面の穴等に埋め込むように取り付けられる。
【０００３】
リモートコントロール装置は本体内に配線基板等を収容しており、配線基板等は、空気調和機に対して配線により接続される。この配線は本体外部から引き込まれるが、そのために本体には配線取込口が設けられる。
【０００４】
従来のリモートコントロール装置の配線取込口は、安全上の観点及び外観デザイン上の制約から複数箇所には設けず、通常１箇所のみである。
【０００５】
【発明が解決しようとする課題】
しかしながら、空気調和機とリモートコントロール装置との位置関係や、リモートコントロール装置を設置する壁面との関係から、１箇所の配線取込口のみでは、配線を都合良く本体内に導くことが困難になる場合がある。そのため、本体の上面や裏蓋等に配線取込口を複数設けることが提案される。このような場合において、特に本体の上面側に位置する配線取込口に配線を通さないときには、この配線取込口が開放されたままだと、この配線取込口を通じて埃等が本体内に侵入し、配線基板等に付着して絶縁不良を起こす等の問題が生じる。
【０００６】
また、従来用いられているリモートコントロール装置は、壁面の穴に埋め込んで固定する設置方式を採用しており、ＪＩＳ（日本工業規格）に定められた壁面の穴の箱内に入れることができるように形状が制限されている。
【０００７】
このため壁面の穴内の設置用の箱に合わない小さめの本体は、壁面の穴と本体の間の隙間が外部に露出してしまうので、事実上リモートコントロール装置の壁面埋め込み方式を採用できず見栄えが悪いという問題がある。
【０００８】
本発明の目的は、配線取込口を通じて埃等が侵入することのない、しかも大きさが壁面の穴より小さくても隙間を外部に露出させずに見栄えよく簡単に設置することのできるリモートコントロール装置を提供することにある。
【０００９】
【課題を解決するための手段】
請求項１に記載の発明は、電気的要素を収容する箱形の本体と、この本体の裏蓋とを有するリモートコントロール装置において、前記本体には第一の配線取込口を設けるとともに、前記裏蓋には第二の配線取込口と、前記本体の第一の配線取込口を使用しない場合に、当該第一の配線取込口を閉鎖する閉鎖体とを設け、この閉鎖体に対向する面は切りかかれており、前記第一の配線取込口を使用する場合には、前記切りかかれた面を前記第一の配線取込口に整合させて、前記本体と前記裏蓋とを組み立てることを特徴とする。
【００１０】
請求項１の発明では、本体の第一の配線取込口に配線を通さずしかもこの本体の開口部を閉鎖する場合には、裏蓋が本体の第一の配線取込口を閉鎖する。これにより、配線を通さない不必要な第一の配線取込口からの埃等の侵入を防ぎ、安全上の観点から第一の配線取込口を確実に閉鎖することができる。
【００１１】
請求項２に記載の発明は、前記本体の上面には第一の配線取込口を設けるとともに、前記裏蓋には第二の配線取込口と、前記本体の第一の配線取込口を使用しない場合に、当該第一の配線取込口を閉鎖する閉鎖体とを設け、この閉鎖体に対向する面は切りかかれており、前記第一の配線取込口を使用する場合には、前記切りかかれた面を前記第一の配線取込口に整合させて、前記本体と前記裏蓋とを組み立てるものである。
【００１２】
請求項３に記載の発明は、電気的要素を収容する箱形の本体と、この本体の裏蓋とを有するリモートコントロール装置において、前記本体には第一の配線取込口を設けるとともに、前記裏蓋には第二の配線取込口と、前記本体の第一の配線取込口を使用しない場合に、当該第一の配線取込口を閉鎖する閉鎖体とを設け、この閉鎖体に対向する面は切りかかれており、前記第一の配線取込口を使用する場合には、前記切りかかれた面を前記第一の配線取込口に整合させて、前記本体と前記裏蓋とを組み立て、且つ前記本体には該本体と前記裏蓋との組立体を壁面内に収容する際に、当該本体と壁面の穴の内壁との間に形成される隙間を隠すための化粧部材を設けたことを特徴とするものである。
【００１３】
請求項３の発明では、本体の第一の配線取込口に配線を通さずしかもこの本体の開口部を閉鎖する場合には、裏蓋が本体の第一の配線取込口を閉鎖する。これにより、配線を通さない不必要な第一の配線取込口から埃等の侵入を防ぎ、安全上の観点から第一の配線取込口を確実に閉鎖することができる。しかも、本体と裏蓋の組立体の大きさが壁面の穴より小さくても、化粧部材は隙間を外部に露出せずに見栄え良く簡単に設置することができる。
【００１４】
【発明の実施の形態】
以下、本発明の好適な実施の形態を図面に基づいて説明する。
【００１５】
図１及び図２において、１０は空気調和機を有線式にリモートコントロールするためのリモートコントロール装置を示す。このリモートコントロール装置１０は箱形の本体１４と裏蓋１６と化粧部材１８とからなる組立体１２を備え、この組立体１２には、空気調和機を制御する電気要素が収容される。
【００１６】
本体１４の上部には、第一の配線取込口２０が設けられており、この第一の配線取込口２０には、空気調和機とリモートコントロール装置１０とを電気的に接続するための配線（例えば、電源配線や信号配線等を含む）ＥＷが通される。本体１４内には配線ＥＷが接続される電気的要素（図示せず）が収容される。この本体１４には、図２に示すように、開口部２４が設けられ、この開口部２４には電気的要素が収容される。また、本体１４は表示パネル部３０を有する。
【００１７】
裏蓋１６は、図２に示すように、本体１４の後部の開口を閉鎖可能になっており、空気調和機とリモートコントロール装置１０とを電気的に接続する配線ＥＷを通すための第二の配線取込口２２を備えている。
【００１８】
この第二の配線取込口２２を通じて配線ＥＷを通す際には、埃等が侵入しないように、本体１４の第一の配線取込口２０は閉鎖して使用する。この実施形態では、第一の配線取込口２０に配線ＥＷを通さず、そこを使用しない場合に、本体１４の第一の配線取込口２０を閉鎖するための閉鎖体８５を備えている。この閉鎖体８５は裏蓋１６に一体的に形成されている。具体的には、図２に示すように、裏蓋１６は一枚の板を折り曲げて形成され、閉鎖体８５に対向する図中下の面は切りかかれており、図２の状態で本体１４と裏蓋１６とが組み立てられるときには、閉鎖体８５が第一の配線取込口２０を閉鎖し、裏蓋１６を天地反対にして組み立てるときには、第一の配線取込口２０は開放される。
【００１９】
図３は本体１４と裏蓋１６を組み立てた組立体１２を示している。この組立体１２は、壁面に形成された穴にぼほ隙間なく壁面の穴取り付けられる。これに対して、図７に示すように、壁面の穴に隙間をあけて組立体１２が取り付けられるとき、この組立体１２には、図４に示すように、枠型プレートからなる化粧部材１８が取り付けられる。この化粧部材１８は、本体１４を壁面内に収容する際に、本体１４と壁面の穴の内壁との間の隙間を隠す機能を有する。
【００２０】
図５に示す本体１４の表示パネル部３０は、表示部３２と開閉カバー３８とを備える。表示部３２は、数値表示部３４と操作部３６とを備える。
【００２１】
数値表示部３４は各種数値を同時にあるいは選択的に表示でき、例えば液晶表示装置を用いている。操作部３６は、例えばタッチスイッチであり、各種機能選択スイッチ、例えば空気調和機の動作モードスイッチ３６ａ、温度設定スイッチ３６ｂ、フラップの方向設定スイッチ３６ｃ、空調ゾーンの設定スイッチ３６ｄ、空気調和機のグループの選択スイッチ３６ｅ、ファン速度スイッチ３６ｆ等を有する。開閉カバー３８は閉じた状態でも外部から表示部３４を見ることができるように、透明体の窓３８ａを有する。
【００２２】
図６は、三台の室外ユニット９９に複数台の室内ユニット１００，１０１，１０２をつないだマルチ型の空気調和装置を示している。リモートコントロール装置１０は、室内ユニットの設置される室内壁の壁面に取り付けられる。各室内ユニット１００，１０１，１０２は、リモートコントロール装置１０によりリモートコントロール操作できるように配線ＥＷで接続されている。
【００２３】
図７乃至図１０は、リモートコントロール装置１０を壁面ＷＡの穴に埋め込んだ実施形態を示している。リモートコントロール装置１０の本体１４と壁面ＷＡの穴の内壁８９との間には隙間ＨＯがある。
【００２４】
この隙間ＨＯを隠すために化粧部材１８が使用される。この化粧部材１８は、図９に示すように、ねじ１８ａを用いて本体１４に固定され、ねじ１８ｂを用いて壁面ＷＡに固定される。化粧部材１８を使用することにより、壁面ＷＡと組立体１２の側面との間の隙間ＨＯを隠すことができるので、図７及び図９に示す矢印Ａ方向からは、その隙間ＨＯが見えない。
【００２５】
仮に、組立体１２の大きさの関係で壁面ＷＡの内壁８９と組立体１２の側面との間に隙間ＨＯがほとんどない場合には、図３を参照してすでに説明したように、組立体１２に対して化粧部材１８を取り付けずに、本体１４を壁面ＷＡの取付け用の穴にはめ込んで取り付ければよい。
【００２６】
次に、図１１乃至図１４を参照して、第一の配線取込口２０と、第二の配線取込口２２との使用の形態を説明する。
【００２７】
まず、リモートコントロール装置１０の使用形態により、図１１及び図１２に示すように、本体１４の第一の配線取込口２０を用いて配線ＥＷを導入する場合には、裏蓋１６の閉鎖体８５が本体１４の底面８８側に対応するように配置した後、ねじ８０を用いて固定する。これによれば、裏蓋１６の第二の配線取込口２２も開放されるが、第二の配線取込口２２は比較的下位に位置するので、ここからの埃等の侵入は少なく、問題は発生しない。
【００２８】
これに対して、リモートコントロール装置１０の使用形態により、図１３及び図１４に示すように、裏蓋１６の第二の配線取込口２２を用いて配線ＥＷを導入する場合には、裏蓋１６の閉鎖体８５が本体１４の上面側に対応するように配置した後、ねじ８０を用いて固定する。
【００２９】
これによれば、閉鎖体８５によって第一の配線取込口２０が閉鎖されるので、埃等の侵入が阻止される。従って、本体１４内の配線基板等に埃等が付着することがないので、絶縁不良等を起こすことがない。
【００３０】
ところで、本発明の適用は、上記実施の形態だけではなく、例えば次のようにすることもできる。図１１乃至図１４では、本体１４に対して裏蓋１６を固定する場合にねじ８０を用いているが、ねじを用いずに凹部を本体１４に設け、凸部を裏蓋１６に設けて、これらの凹部と凸部をかみ合わせて両者を固定するようにしてもよい。第一の配線取込口２０と第二の配線取込口２２とは、図示の例では長穴もしくは楕円型のものを採用しているが、これに限らず、その他の形状の穴を採用することもできる。
【００３１】
【発明の効果】
請求項１、及び２の発明では、本体の第一の配線取込口に配線を通さずしかもこの本体の開口部を閉鎖する場合には、裏蓋が本体の第一の配線取込口を閉鎖する。従って、配線を通さない不必要な第一の配線取込口からの埃等の侵入を防ぎ、安全上の観点から第一の配線取込口を確実に閉鎖することができる。
【００３２】
請求項３の発明では、本体の第一の配線取込口に配線を通さずしかもこの本体の開口部を閉鎖する場合には、裏蓋が本体の第一の配線取込口を閉鎖する。従って、配線を通さない不必要な第一の配線取込口から埃等の侵入を防ぎ、安全上の観点から第一の配線取込口を確実に閉鎖することができる。しかも、本体と裏蓋の組立体の大きさが壁面の穴より小さくても、化粧部材は隙間を外部に露出せずに見栄え良く簡単に設置することができる。
【図面の簡単な説明】
【図１】本発明のリモートコントロール装置の実施の形態を示す斜視図である。
【図２】図１のリモートコントロール装置を後方から見た斜視図である。
【図３】リモートコントロール装置の使用状態を示す斜視図である。
【図４】化粧部材を用いたリモートコントロール装置の使用状態を示す斜視図である。
【図５】本体の表示パネル部を示す正面図である。
【図６】リモートコントロール装置の接続例を示す構成図である。
【図７】リモートコントロール装置を取り付けた状態を示す平面図である。
【図８】図７の取付け状態を示す正面図である。
【図９】図７の取付け状態を示す側面図である。
【図１０】図７の取付け状態を示す背面図である。
【図１１】本体の第一の配線取込口を使用して配線を接続する例を示す斜視図である。
【図１２】図１１の接続状態を示す平面図である。
【図１３】裏蓋の第二の配線取込口を使用して配線を接続する例を示す斜視図である。
【図１４】図１３の接続状態を示す平面図である。
【符号の説明】
１０  リモートコントロール装置
１２  組立体
１４  本体
１６  裏蓋
１８  化粧部材
２０  第一の配線取込口
２２  第二の配線取込口
【図１】
0003744606.tif 000002
【図２】
0003744606.tif 000003
【図３】
0003744606.tif 000004
【図４】
0003744606.tif 000005
【図５】
0003744606.tif 000006
【図６】
0003744606.tif 000007
【図７】
0003744606.tif 000008
【図８】
0003744606.tif 000009
【図９】
0003744606.tif 000010
【図１０】
0003744606.tif 000011
【図１１】
0003744606.tif 000012
【図１２】
0003744606.tif 000013
【図１３】
0003744606.tif 000014
【図１４】
0003744606.tif 000015